(57)【要約】【課題】シャーシに搭載されているスピンドルモータ等の共振が対物レンズから照射されている光ビームの光記録ディスクに対するフォーカスやトラッキング等の位置決め性能に与える相対的な影響を緩和することができる光ディスク装置の提供。【解決手段】スピンドルモータ５の取付部材であって、ほぼ半円弧状の切欠き５５によってほぼ半円弧状をなす非円形状に形成されている取付用フランジ５４をスピンドル６の周りに矢印ｅ方向に回転調整して、振動中心線Ｐ2 を光走査基準線Ｐ1 に対して非対称となるように任意の角度Δθに傾けた状態で、この取付用フランジ５４の３点を３つのビス５６ａ、５６ｂ、５６ｃによってサブシャーシ１５に下方からビス止めした光ディスク装置。【選択図】図１
2006079824.tif 000002
【特許請求の範囲】
【請求項１】
ディスクテーブルを回転駆動するスピンドルモータと、該スピンドルモータをシャーシへ取り付ける取付部材と、対物レンズを有する光学ピックアップを備える光ディスク装置において、
上記取付部材は、その形状が上記光学ピックアップの走査基準線に対して非対称となるように構成され、上記取付部材を上記シャーシに固定する３点の固定部を有する
ことを特徴とする光ディスク装置。
【請求項２】
ディスクテーブルを回転駆動するスピンドルモータと、該スピンドルモータをシャーシへ取り付ける取付部材と、対物レンズを有する光学ピックアップを備える光ディスク装置において、
上記取付部材は上記シャーシに３点の固定部で固定され、
上記３点の固定部は上記光学ピックアップの走査基準線に対して非対称となるように配置された
ことを特徴とする光ディスク装置。
【請求項３】
上記取付部材は、その外周に半円弧状の切欠きが設けられている
ことを特徴とする光ディスク装置。
【発明の詳細な説明】
【技術分野】
【０００１】
本発明は、光ディスクや光磁気ディスク等の光記録ディスクを光学ピックアップによって記録及び／又は再生する光ディスク装置に関し、特に、シャーシに搭載されているスピンドルモータ等の共振による悪影響を防止するための技術に関するものである。
【背景技術】
【０００２】
従来から、この種光ディスク装置として、図４〜図６に示すものがある。
これは、図４に示すように、光ディスクや光磁気ディスク等の光記録ディスク１が内部に回転自在に収納されたディスクカートリッジ２をメインシャーシ３上の合計４つの位置決めピン４上に水平に装着する。その際、メインシャーシ３上に設けられてスピンドルモータ５のスピンドル６によって回転駆動されるディスクテーブル７上に光記録ディスク１を水平にマグネットチャッキングすると共に、ボイスコイルモータ８によって移送される光学ピックアップ９の対物レンズ１０上に光記録ディスク１を近接させる。
【０００３】
そして、スピンドルモータ５によってディスクテーブル７を介して光記録ディスク１を回転駆動しながら、ボイスコイルモータ８によって光学ピックアップ９の対物レンズ１０をスピンドル６の中心と対物レンズ１０の中心を通る光記録ディスク１の半径方向の基準線である光走査基準線Ｐ1 に沿って移送して、光記録ディスク１の記録及び／又は再生を行うようにしたものである。
【０００４】
ところで、メインシャーシ３上にはディスクカートリッジ２が水平に挿入されるカートリッジホルダー及びそのカートリッジホルダーを水平のまま平行運動によって昇降駆動するメインスライダー（何れも図示せず）が取り付けられている。
【０００５】
そして、図４に示すように、メインシャーシ３上に取り付けられたローディングモータ１１及びそのローディングモータ１１の回転駆動力を直線運動に変換してメインスライダーをスライド駆動するローディング機構１２等が取り付けられていて、ローディングモータ１１によってディスクカートリッジ２を位置決めピン４上にオートローディングすることができるように構成されている。
【０００６】
一方、図４及び図５に示すように、メインシャーシ３のほぼ中央部に大きな開口１４が形成されていて、ほぼ額縁状に形成されたサブシャーシ１５の開口１４内に上方から嵌合されて、このサブシャーシ１５が下方から複数のビス１６によってメインシャーシ３にビス止めされている。
【０００７】
そして、シャーシであるサブシャーシ１５内にスピンドルモータ５及びボイスコイルモータ８が下方から挿入されてビス止めされている。
【０００８】
この際、図５及び図６に示すように、スピンドルモータ５は円板状のステータヨークの中央部の上部にスピンドル６を回転自在に垂直に取り付け、円筒状に形成されたディスクテーブル７をスピンドル６の外周に圧入等にて固着し、ディスクテーブル７の下端に円筒状のロータヨーク５２を一体に形成し、ディスクテーブル７内でスピンドル６の外周にはチャッキングマグネット５３が固着されている。
【０００９】
そして、ステータヨーク５１の外周にほぼ半円弧状の取付用フランジ５４を一体に形成し、この取付用フランジ５４の一側部はほぼ半円形状の切欠き５５によって切欠かれている。そして、この取付用フランジ５４には、その円周方向の中央部と円周方向の両端との３点に３つのビス挿通穴５６ａ、５６ｂ、５６ｃが形成されている。
【００１０】
そして、図５に示すように、スピンドルモータ５がサブシャーシ１５の一端側の内部に下方から挿入されて、取付用フランジ５４の切欠き５５を光学ピックアップ９側に向けた状態で、取付用フランジ５４の３つのビス挿通穴５６ａ、５６ｂ、５６ｃに下方から挿通される３つのビス１７ａ、１７ｂ、１７ｃによってその取付用フランジ５４がサブシャーシ１５に下方からビス止めされている。
【００１１】
次に、図４及び図５に示すように、光学ピックアップ９は、キャリッジ９１上に２軸デバイス９２を介して対物レンズ１０を上向きに取り付けていて、キャリッジ９１は左右一対の水平で平行なガイド軸９３ａ、９３ｂに合計４つのガイドローラ９４によって係合されて矢印ａ、ｂ方向に水平に移動自在に構成されている。そして、この光学ピックアップ９のスピンドルモータ５とは反対側に対物レンズ１０へのレーザー光等の光ビームの発光及び受光用の光学ブロック９５が配置されている。
【００１２】
次に、図４及び図５に示すように、ボイスコイルモータ８は、左右一対のガイド軸９３ａ、９３ｂと平行に配置された左右一対のヨーク８１ａ、８１ｂ及びマグネット８２ａ、８２ｂと、キャリッジ９１の左右両側に固着されたコイル８３ａ、８３ｂとによって構成されている。
【００１３】
そして、左右一対のガイド軸９３ａ、９３ｂ及びヨーク８１ａ、８１ｂがサブシャーシ内の左右両側位置に下方から挿入されて、これらが各一対のビス１８ａ、１８ｂ及び１９ａ、１９ｂによって下方からビス止めされている。また、光学ブロック９５は複数のビス２０によってサブシャーシ１５の他側部及びメインシャーシ３に下方からビス止めされている。
【００１４】
そして、光学ブロック９５から光学ピックアップ９の対物レンズ１０に光ビームを照射して、その光ビームを対物レンズ１０によって光記録ディスク１の下面に垂直に照射しながら、ボイスコイルモータ８の左右一対のコイル８３ａ、８３ｂへ通電することによって、これら左右一対のコイル８３ａ、８３ｂとヨーク８１ａ、８１ｂ及びマグネット８２ａ、８２ｂ間に形成されている磁気回路による電磁作用によって、キャリッジ９１を左右一対のガイド軸９３ａ、９３ｂに沿って矢印ａ、ｂ方向に移送させる。そして、光記録ディスク１を対物レンズ１０から照射される光ビームによって光走査基準線Ｐ1 に沿って走査して、所望の記録及び／又は再生を行うものである。
【００１５】
なおこの際、光学ピックアップ９の２軸デバイス９２によって対物レンズ１０から照射される光ビームの光記録ディスク１に対するフォーカスやトラッキング等の位置決めを行うものである。
【００１６】
ところで、スピンドルモータ５の取付用フランジ５４に形成した切欠き５５は、対物レンズ１０が光記録ディスク１の内周まで十分に走査できるように、キャリッジ９１を光記録ディスク１の内周側の奥深い位置まで矢印ａ方向に侵入させるために欠くことができない構造である。
【００１７】
そして、この取付用フランジ５４に切欠き５５を形成したために、この取付用フランジ５４はサブシャーシ１５に３つのビス１７ａ、１７ｂ、１７ｃによって３点止めされることになり、スピンドルモータ５には、図６に示すように、スピンドル６の中心に対して互いに直角なＸ軸、Ｙ軸及びＺ軸をとった場合、Ｚ軸が振動中心線Ｐ2 であるＸ軸に沿ってほぼＹ軸の周りに矢印ｃ、ｄ方向である上下方向に振動し易くなっている。
【００１８】
そして、スピンドルモータ５が矢印ｃ、ｄ方向に振動すれば、ディスクテーブル７上にマグネットチャッキングされている光記録ディスク１の外周側は更に拡大されて矢印ｃ、ｄ方向に振動されることになる。
【００１９】
そして、従来は図４及び図５に示すように、スピンドルモータ５の取付用フランジ５４の切欠き５５が光走査基準線Ｐ1 に対して対称状になるように、スピンドルモータ５の振動中心線Ｐ2 を光走査基準線Ｐ1 上に一致させていた。
【００２０】
そして、取付用フランジ５４をサブシャーシ１５に固定する３つのビス１７ａ、１７ｂ、１７ｃのうち、中央のビス１７ａを振動中心線Ｐ2 上に配置する一方、取付用フランジ５４の円周方向の両端の左右一対のビス１７ｂ、１７ｃをスピンドル６の中心からできる限りの距離Ｌだけ光学ピックアップ９側に偏位させた位置で、振動中心線Ｐ2 に対して対称状に配置させて、サブシャーシ１５に対するスピンドルモータ５の安定取り付けを図っていた。
【発明の開示】
【発明が解決しようとする課題】
【００２１】
しかし、上記のように構成された従来の光ディスク装置は次のような問題があった。
即ち、図７の（Ａ）（Ｂ）は、スピンドルモータ５をサブシャーシ１５に３点止めにてビス止めした状態で、サブシャーシ１５に加振振動を加えた場合のスピンドルモータ５の共振状況をコンピュータで解析した共振解析図であり、図８に示すように、加振周波数の約１４７６Ｈｚと約３２７４Ｈｚの２点で、図７の（Ａ）及び図７の（Ｂ）に示すような共振のピークが表われた。
【００２２】
そして、この時のスピンドルモータ５の共振の振幅が最も大きくなる方向は、図６で示した振動中心線Ｐ2 に沿った矢印ｃ、ｄ方向であった。
【００２３】
このように、スピンドルモータ５は振動中心線Ｐ2 に沿って共振し易いにも拘らず、従来は、その振動中心線Ｐ2 を対物レンズ１０の光走査基準線Ｐ1 上に一致させていたために、スピンドルモータ５の振動中心線Ｐ2 に沿った矢印ｃ、ｄ方向の振動が、対物レンズ１０に対する光記録ディスク１の光走査基準線Ｐ1 に沿った矢印ｃ、ｄ方向の振動となって直接に、しかも拡大されて表われてしまい、対物レンズ１０から照射される光ビームの光記録ディスク１に対するフォーカスやトラッキング等の位置決め性能に大きな影響を及ぼし、記録及び／又は再生の精度を劣化させると言う問題があった。
【００２４】
また、この種光ディスク装置では、図５に示すように、ボイスコイルモータ８や光学ピックアップ９等の構成が左右対称となることは希であって、光走査基準線Ｐ1 に対する左右一対のガイド軸９３ａ、９３ｂの間隔Ｓ1 、Ｓ2 が異なることが多い。
【００２５】
しかし、従来は、図５に示すように、スピンドルモータ５の取付用フランジ５４の左５右一対のビス１７ｂ、１７ｃをスピンドル６の中心から距離Ｌだけ光学ピックアップ９側に偏位させた位置で、振動中心線Ｐ2 に対して対称状に配置させていたために、光走査基準線Ｐ1 に対して間隔Ｓ1 の小さい側のガイド軸９３ａのスピンドルモータ５側の端部をサブシャーシ１５にビス止めするためのビス１８ａと、スピンドルモータ５の一端部のビス１７ｂとが干渉し易くし、スペースの有効利用を図れないと言う問題があった。
【００２６】
本発明は、上記の問題を解決するためになされたものであって、シャーシに搭載されているスピンドルモータ等の共振が対物レンズから照射されている光ビームの光記録ディスクに対するフォーカスやトラッキング等の位置決め性能に与える相対的な影響を緩和することができるようにした光ディスク装置を提供することを目的としている。
【課題を解決するための手段】
【００２７】
上記の目的を達成するための本発明の光ディスク装置は、ディスクテーブルを回転駆動するスピンドルモータと、該スピンドルモータをシャーシへ取り付ける取付部材と、対物レンズを有する光学ピックアップを備える光ディスク装置において、上記取付部材は、その形状が上記光学ピックアップの走査基準線に対して非対称となるように構成され、上記取付部材を上記シャーシに固定する３点の固定部を有することを特徴とするものである。
【発明の効果】
【００２８】
本発明の光ディスク装置は、スピンドルモータの取付部材が共振しても、対物レンズから照射される光ビームの光記録ディスクに対するフォーカスやトラッキング等の位置決め性能に与える相対的な共振の影響を緩和することができる。
【発明を実施するための最良の形態】
【００２９】
以下、本発明を適用した光ディスク装置の一実施例を図１〜図３を参照して説明する。なお、図４〜図６と同一構造部には同一の符号を付して説明の重複を省く。
【００３０】
まず、本発明の光ディスク装置では、図６に示した従来のスピンドルモータ５をそのまま使用することができる。
【００３１】
そして、本発明では、図１〜図３に示すように、スピンドルモータ５の取付部材であって、ほぼ半円弧状の切欠き５５によってほぼ半円弧状をなす非円形状に形成されている取付用フランジ５４をスピンドル６の周りに矢印ｅ方向に回転調整して、振動中心線Ｐ2 を光走査基準線Ｐ1 に対して非対称となるように任意の角度Δθに傾けた状態で、この取付用フランジ５４の３点を３つのビス５６ａ、５６ｂ、５６ｃによってサブシャーシ１５に下方からビス止めしたものである。
【００３２】
従って、本発明の光ディスク装置によれば、スピンドルモータ５の振動中心線Ｐ2 を光走査基準線Ｐ1 に対して角度Δθに傾けたので、スピンドル５の振動中心線Ｐ2 に沿った矢印ｃ、ｄ方向の振動によって光記録ディスクが矢印ｃ、ｄ方向に振動しても、対物レンズ１０から照射される光ビームの光記録ディスク１に対するフォーカスやトラッキング等の位置決め性能に与える相対的な共振の影響をΔθ相当分だけ緩和することができる。
【００３３】
従って、光記録ディスク１に対する光ビームのフォーカスやトラッキング等の位置決めを安定して行えて、高精度の記録及び／又は再生を行うことができる。
【００３４】
しかも、本発明では、図１〜図３に示すように、光走査基準線Ｐ1 に対する間隔Ｓ1 が小さい側のガイド軸９３の一端を固定するビス１８ａに対して、取付用フランジ５４の一端側のビス１７ｂを遠ざける方向である矢印ｅ方向にスピンドルモータ５を回転して、切欠き５５を光走査基準線Ｐ1 に対して非対称状にして、振動中心線Ｐ2 を光走査基準線Ｐ1 に対して角度Δθに傾けている。
【００３５】
従って、本発明の光ディスク装置によれば、取付用フランジ５４の円周方向の両端のビス１７ｂ、１７ｃと左右一対のガイド軸９３ａ、９３ｂの一端を固定する左右一対のビス１８ａ、１８ｂとの間にそれぞれ角度θ1 、θ2 のスペースを確保することができて、これらのビス１７ｂ、１７ｃと１８ａ、１８ｂとが何れも干渉することがなく、スペースの有効利用を図ることができる。
【００３６】
それでいて、本発明の光ディスク装置は、従来のスピンドルモータ５をそのまま使用することができるので、構造は簡単である。
【産業上の利用可能性】
【００３７】
以上、本発明の一実施例に付き述べたが、本発明は上記の実施例に限定されることなく、本発明の技術的思想に基づいて各種の変更が可能である。
【図面の簡単な説明】
【００３８】
【図１】本発明の光ディスク装置の一実施例を説明するサブフレームに対するスピン    ドルモータの取付状況を示した底面図である。
【図２】メインシャーシ全体の底面側の斜視図である。
【図３】メインシャーシ全体の底面図である。
【図４】従来の光ディスク装置を説明するメインシャーシの上面側の斜視図である。
【図５】従来の光ディスク装置のサブフレームに対するスピンドルモータの取付状況    を示した底面図である。
【図６】従来のスピンドルモータを示した斜視図である。
【図７】従来のスピンドルモータの共振解析図である。
【図８】従来のスピンドルモータの共振周波数のピークを示したグラフである。
【符号の説明】
【００３９】
１  光記録ディスク、    ５  スピンドルモータ、    ５４  スピンドルモータの取付  部材である取付用フランジ、    ５５  取付用フランジの切欠き、    ５６ａ、５６ｂ、  ５６ｃ  ビス  挿通穴、    ６  スピンドル、    ７  ディスクテーブル、    ８  ボ  イスコイルモー  タ、    ９  光学ピックアップ、    １０  光学ピックアップの対物  レンズ、    ９３  ａ、９３ｂ、    光学ピックアップのガイド軸、    １５  サブシ  ャーシ（シャーシ）、    １７ａ、１７ｂ、１７ｃ  取付用フランジの固定用ビス、      １８ａ、１８ｂ  ガイド  軸の固定用ビス、    Ｐ1  光走査基準線、    Δθ  光走査  基準線Ｐ1 に対する振動中  心線Ｐ2 の傾き角。
【図１】
2006079824.tif 000003
【図２】
2006079824.tif 000004
【図３】
2006079824.tif 000005
【図４】
2006079824.tif 000006
【図５】
2006079824.tif 000007
【図６】
2006079824.tif 000008
【図７】
2006079824.tif 000009
【図８】
2006079824.tif 000010